(57)【要約】【課題】ナット等をボルトに螺合することなく、便器を床フランジを介して床に固定することが可能であり、さらに、ナット等の締め付けすぎによって、便器や床フランジが割れてしまうおそれの少ない便器の固定構造を提供する。【解決手段】便器の下端周辺の便器固定部に設けたボルト孔に、床面から立設されたボルトを嵌入することにより、便器を床に固定する便器固定構造において、前記ボルトの螺子部を嵌入するボルト嵌入筒を有するブシュを備え、前記ボルト嵌入筒の内部側面には前記螺子部がその嵌入側から反対側の方向にのみスライドできるように前記螺子部の螺子山を係止する内部係止片を設けてなり、前記ボルトを嵌入してなる前記ブシュが前記便器固定部の上面を押圧固定してなる。【選択図】  図２
2004278252.tif 000002
【特許請求の範囲】
【請求項１】
便器の下端周辺の便器固定部に設けたボルト孔に、床面から立設されたボルトを嵌入することにより、便器を床に固定する便器固定構造において、前記ボルトの螺子部を嵌入するボルト嵌入筒を有するブシュを備え、前記ボルト嵌入筒の内部側面には前記螺子部がその嵌入側から反対側の方向にのみスライドできるように前記螺子部の螺子山を係止する内部係止片を設けてなり、前記ボルトを嵌入してなる前記ブシュが前記便器固定部の上面を押圧固定してなることを特徴とする便器固定構造。
【請求項２】
前記ブシュは、ボルト孔に嵌合されているものであることを特徴とする請求項１記載の便器固定構造。
【請求項３】
前記ブシュは、上部に前記便器固定部の上面に係合する上部突起片を設けてなることを特徴とする請求項２記載の便器固定構造。
【請求項４】
前記ブシュは、下部に前記便器固定部の下面に係合する下部係合突起片を設けてなるものであることを特徴とする請求項３記載記載の便器固定構造。
【請求項５】
前記ブシュは、側面に切欠き部を設けてなるものであることを特徴とする請求項１乃至請求項４記載の便器固定構造。
【請求項６】
前記ブシュは、ボルト嵌入筒の内部に前記ボルトの螺子山を係止する内部突起片を設けてなる上部ブッシュと、下部ブシュと、前記上部ブッシュと前記下部ブッシュとを接続してなる屈曲自在の板バネ材とからなる複合ブシュであり、前記上部ブシュは前記便器固定部の上部に配設されてなり、前記下部ブシュは前記ボルト孔又に嵌入してなることを特徴とする請求項１記載記載の便器固定構造。
【請求項７】
略半球形状の頭部の内側に雌螺子を螺刻してなる螺子筒を有する化粧キャップを前記便器固定部上側に設け、前記螺子筒が前記ボルトに螺合してなることを特徴とする請求項１乃至請求項６記載記載の便器固定構造。
【発明の詳細な説明】
【０００１】
【発明の属する技術分野】
本発明は、便器を床フランジを介して床に固定する便器固定構造に関するものである。
【０００２】
【従来の技術】
従来の便器の固定構造は、床フランジを螺子等で床面に固定し、この上部に便器を配設し、床フランジに設けられたフランジ孔にボルトを嵌入することによりボルトを床面に立設し、便器の下端周辺部の便器固定部に穿設されたボルト孔にこのボルトを嵌入して、ナットをボルトに螺合することで、便器を床面に固定するものである。このような便器の固定構造が、実開昭６３−１７６１８２号公報、特開平９−２５６４４９号公報や特開平９−１７７１６３号公報に開示されている。
【０００３】
図６に便器の従来の固定構造の斜視図を示す。まず、あらかじめ床下に設置されている排水管７２に外接するように、床フランジ２１の排出筒２２を配置して、床フランジ２１を螺子止めすることで床面に固定する。この床フランジ２１には、図７に示すように、矩形孔２３とこれに接続する長孔２４とからなるフランジ孔２５が２箇所に穿設されている。この矩形孔２３にＴ形ボルト４１の頭部が床面側になるように嵌入して、長孔２４側に移動させる。このようにして、Ｔ形ボルト４１の螺子部４５を床面に立設させる。この状態で、便器本体１１を床フランジ２１の上部に配置して、便器固定部１２に穿設されたボルト孔１３に、Ｔ形ボルト４１の螺子部４５を挿入するように、便器本体１１を配設する。この後、螺子部４５に座金７５を取り付けて、ナット７４を螺合することで、便器本体１１を固定する。そして、ナット７４の上部に化粧キャップ５１を取り付ける。以上のようにして、便器を便所の床面に固定していた。
【０００４】
【特許文献１】
実開昭６３−１７６１８２号公報（第６−９頁、図１）
【０００５】
【特許文献２】
特開平９−２５６４４９号公報（第４−６頁、図１）
【０００６】
【特許文献３】
特開平９−１７７１６３号公報（第３−４頁、図１）
【０００７】
【発明が解決しようとする課題】
従来の便器の固定構造では、便器を固定するときに、ナットをＴ形ボルトの螺子部に螺合させる作業が必要となっていた。通常、便器を取り付ける便所は狭い空間であり、この螺合の作業は容易ではなかった。また、通常の便器と床フランジは陶器製であるために、金属製のナットを締め付けすぎると、便器や床フランジが割れてしまうおそれがあった。
【０００８】
本発明は、かかる事由に鑑みてなしたもので、その目的とするところは、ナット等をボルトに螺合することなく、便器を床フランジを介して床に固定することが可能であり、さらに、ナット等の締め付けすぎによって、便器や床フランジが割れてしまうおそれの少ない便器の固定構造を提供することにある。
【０００９】
【課題を解決するための手段】
請求項１に係る発明の便器固定構造は、便器の下端周辺の便器固定部に設けたボルト孔に、床面から立設されたボルトを嵌入することにより、便器を床に固定する便器固定構造において、前記ボルトの螺子部を嵌入するボルト嵌入筒を有するブシュを備え、前記ボルト嵌入筒の内部側面には前記螺子部がその嵌入側から反対側の方向にのみスライドできるように前記螺子部の螺子山を係止する内部係止片を設けてなり、前記ボルトを嵌入してなる前記ブシュが前記便器固定部の上面を押圧固定してなることを特徴としている。
【００１０】
請求項２に係る発明の便器固定構造は、請求項１の構成において、前記ブシュは、ボルト孔に嵌合されているものであることを特徴としている。
【００１１】
請求項３に係る発明の便器固定構造は、請求項２の構成において、前記ブシュは、上部に前記便器固定部の上面に係合する上部突起片を設けてなることを特徴としている。
【００１２】
請求項４に係る発明の便器固定構造は、請求項３の構成において、前記ブシュは、下部に前記便器固定部の下面に係合する下部係合突起片を設けてなるものであることを特徴としている。
【００１３】
請求項５に係る発明の便器固定構造は、請求項１乃至請求項４の構成において、前記ブシュは、側面に切欠き部を設けてなるものであることを特徴としている。
【００１４】
請求項６に係る発明の便器固定構造は、請求項１の構成において、前記ブシュは、ボルト嵌入筒の内部に前記ボルトの螺子山を係止する内部突起片を設けてなる上部ブッシュと、下部ブシュと、前記上部ブッシュと前記下部ブッシュとを接続してなる屈曲自在の板バネ材とからなる複合ブシュであり、前記上部ブシュは前記便器固定部の上部に配設されてなり、前記下部ブシュは前記ボルト孔に嵌入してなることを特徴としている。
【００１５】
請求項７に係る発明の便器固定構造は、請求項１乃至請求項６の構成において、略半球形状の頭部の内側に雌螺子を螺刻してなる螺子筒を有する化粧キャップを前記便器固定部上側に設け、前記螺子筒が前記ボルトに螺合してなることを特徴としている。
【００１６】
【発明の実施の形態】
（実施形態１）
本実施の形態に係る便器固定構造を、図１、２に基づいて説明する。また、便器本体の説明の図は、従来例の図６、７を用いて説明する。まず、便器は、従来のものと同じであり、図６に示すように、便器本体１１を床７１面に固定するために、便器の下端周辺の便器固定部１２には、ボルトの螺子部が嵌入する２個のボルト孔１３が穿設されている。また、床フランジ２１も従来と同じものを使用し、図７に示すように、床下の排水管７２に接続する排出筒２２とこの周辺に広がる平面板からなっている。この平面板には、床７１に螺子止めするための螺子孔２６が４箇所に穿設されている。また、便器固定部１２を固定するボルトを嵌入するフランジ孔２５が設けられている。このフランジ孔２５は、上部からボルトを通すための矩形孔２３とこれに接続する長孔２４とからなっている。
【００１７】
本実施形態で用いるブシュ（円筒軸受け）３１は、弾性体の樹脂製であり、図１に示すように、略円筒形状をしていて、ボルトの螺子部分が嵌入するボルト嵌入筒３２を有し、上端部に上部突起片３４と、下端部に下部突起片３５とを有する構造となっている。図１（ｂ）の断面図に示すように、ボルト嵌入筒３２の内部の側面には、ボルトの螺子部の嵌入口の付近で接続して、縦断面視で、側面に接合する接続片３３ａと前記接合部に接続して側面に平行な連結片３３ｂと連結片に接続して中心部に向かう断面が楔形状の係合片３３ｃからなる内部係止片３３が設けられている。後述するように、この内部係止片３３によって、ボルトの螺子部の螺子山を係止することになる。また、側面には、４個の切欠き部３６を有してなり、ブシュ３１の側面上部は、４つに分割されている。内部係止片３３も、切欠き部３６によって、４つに分割されている。
【００１８】
便器固定部を床フランジに固定する金属製のボルトは、Ｔ形ボルト４１であり、この頭部４２は略正方形となっている。また、頭部に連結して円柱部４３が設けられ、頭部に隣接する部分には螺子山のない無螺子部４４となっていて、これに接続する円柱部４３に雄螺子が螺刻されている螺子部４５となっている。
【００１９】
化粧キャップ５１は、樹脂製であり、この頭部の内側にボルトと螺合する雌螺子が螺刻された螺子筒５２が設けられている。
【００２０】
以下に、便器の取付け手順について説明する。まず、床フランジ２１を床下の排水管７２にシールリンク７６を介して接続するように、床７１の面上に配置する。そして、螺子孔２６に螺子７３を嵌入して、螺子止めすることにより、床フランジ２１を床７１に固定する。次に、Ｔ形ボルト４１の円柱部４３が上側になるように頭部４２から、床フランジ２１の矩形孔２３に嵌入して、長孔２４側に移動させる。長孔２４には、Ｔ形ボルト４１を位置決めして係止させる係止リブ２５が設けられているので、Ｔ形ボルト４１は、これに当接して係止される。ここで、２本のＴ形ボルト４１を、２箇所のフランジ孔２５、２５にそれぞれ嵌入して、係止リブ２５に係止させる。こうすることで、Ｔ形ボルト４１の螺子部４５を２本床面に立設させることができる。
【００２１】
一方、ブシュ３１を便器固定部１２のボルト孔１３の下側から上部突起片３４を先にして嵌入して、上部突起片３４が便器固定部１２の上面と接触し、下部突起片３５を便器固定部１２の下面で接触するようにして、ブシュ３１をボルト孔１３の内部に係止させる。このとき、ブシュ３１は弾性体であり、上部の側面が切欠き部３６によって４つに分割されているので、ボルト孔１３に押し込むと容易に弾性変形して、嵌入することができる。
【００２２】
この状態で、便器本体１１を床フランジ２１の上部に配置しておき、床フランジ２１に立設しているＴ形ボルト４１の円柱部４３を、ブシュ３１のボルト嵌入筒３２に嵌入するように、便器本体１１を移動させる。このとき、ボルト嵌入筒３２内部の内部係止片３３は弾性体なので、円柱部４３がボルト嵌入筒３２に押し込まれたときに、容易に弾性変形して、円柱部４３を奥まで容易に嵌入することができる。ここで、内部係止片３３は、上述した構造をしているので、螺子山を一度係止すると、螺子部４５は嵌入側から反対側の方向にのみにしかスライドすることができなくなる。したがって、ブシュ３１は、便器の重さや人力によって、一度螺子部４５の奥側まで押しこまれると、もとに戻らなくなり、便器固定部１２を押圧することになる。当然のことながら、２個のブシュ３１を２箇所のボルト孔３２、３２に嵌入して、２箇所で便器固定部１２を押圧している。このようにして、便器本体１１は、床フランジ２１を介して、床７１上に固定される。
【００２３】
このとき、Ｔ形ボルト４１の螺子部４５は、便器固定部１２のボルト孔１３の上部に突出している。これに、化粧キャップ５１を被せて、螺子部４５を螺子筒５２内部の雌螺子を螺合するように、化粧キャップ５１を回動させる。このとき、化粧キャップ５１の周辺面は、便器固定部１２を押圧するので、ブシュ３１の内部係止片３３がさらに押し込まれる。この結果として、ブシュ３１によって、さらに便器固定部１２が押圧されることになる。以上により、便器本体２１の固定が完了する。
【００２４】
本実施の形態では、内部係止片３３を設けたブシュ３１をＴ形ボルト４１の螺子部４５に押しこむことにより、ブシュ３１が便器固定部１２を押圧して、便器本体１１が床面に固定される。このため、従来のようにナットを狭い便所の内部で回動させる作業が不要となり、便器の取付け作業が容易になる。また、樹脂製のブシュ４１で便器固定部１２を押圧しているために、取付け作業のときにナット等での締め付けすぎによる便器固定部１２と床フランジ２１の割れが発生するおそれが少なくなる。また、ブシュ３１が切欠き部３６で分割されている構造になっているので、弾性変形しやすくなり、便器固定部１１のボルト孔１３に容易に嵌入することができる。
【００２５】
そして、化粧キャップ５１の螺子筒５２を螺子部４５に螺合することで、さらに確実に、便器固定部１２を床フランジ２１を介して床面に固定することができる。なお、化粧キャップ５１は、回動して取り付けることになるが、樹脂製であるので、締め付けすぎても、便器固定部１２や床フランジ２１に割れを発生させることがない。また、化粧キャップ５１の回動作業もナットに取り付ける場合と比較すると、大きな力を要しないので、狭い場所でも作業としては容易である。そして、化粧キャップ５１を取り付けることにより、Ｔ形ボルト４１が外部から見えることがなくなり、見栄えも良好となる。
【００２６】
なお、ボルトの螺子部を床面に立設するには、上記手順に限らない。例えば、ボルトを直接に床に植設してもかまわないし、床フランジにインサート成形して、床フランジとボルトとを一体に形成してもかまわない。また、固定するブシュの数は本実施形態の２個に限らず、３個以上であってもよい。また、化粧キャップの代わりに、通常のナットを用いても確実に固定でき、便器固定部や床フランジを壊すこともない。
【００２７】
（実施形態２）
本実施の形態に係る便器固定構造を、図３〜５に基づいて説明する。また、便器本体の説明の図は、従来例の図６、７を用いて説明する。まず、便器、床フランジ及Ｔ形ボルトの構造は、実施形態１と同じである。
【００２８】
本実施形態で用いる複合ブシュ６１は、図３、４に示すように、上部ブシュ６２、下部ブシュ６３とこれらを接続する板バネ材６４とからなっている。上部ブシュ６２は、弾性体の樹脂製であり、便器固定部１２の上面を押圧するようになっている。このものは、ボルト嵌入筒３２ａと、この内部側面に内部係止片３３（この構造は実施形態１と同じである）を有する構造となっている。また、下部ブシュ６３は、樹脂製の円筒形状であり、ボルト嵌入筒３２ｂを有し、この内部側面上部には雌螺子が螺刻されている。ただし、この雌螺子は、Ｔ形ボルト４１の螺子部４５とは、遊嵌するように形成されている。下部ブッシュ６２は、ボルト孔１３に嵌入する外形形状になっている。また、下部ブッシュ６２の高さは、便器を固定したときの床フランジ２１の上面から、便器固定部１２の上面まで差に相当している。さらに、上部ブシュ６２と下部ブシュ６３とは、４枚の板バネ材６４によって接続されている。板バネ材６４は、金属又は樹脂製板を折り曲げて、屈曲自在にしたもので、弾性に富んでいる。
【００２９】
以下に、便器の取付け手順について説明する。まず、床フランジ２１を床７１に固定して、フランジ孔２５にＴ形ボルト４１を取り付けて立設させるまでの手順は、実施形態１と同じである。この状態で、便器本体１１を床フランジ２１の上部に配置しておき、Ｔ形ボルト４１の円柱部４３を、辺気固定部１２のボルト孔２２に嵌入するように、便器本体１１を移動させて、便器本体１１を床フランジ２１の上部に設置する。この状態で、複合ブシュ６１の下部ブシュ６３をボルト孔２２に嵌入して、下部ブシュ６３の底面を床フランジ２１の上面に設置する。ここで、下部ブシュ６３のボルト嵌入筒３２ｂの雌螺子は、Ｔ形ボルト４１の螺子部４５とは、遊嵌するようになっているので、容易に下部ブシュ６３を押し込むことができる。このとき、複合ブシュ６１の板バネ材６４と上部ブシュ６２は、便器固定部１２の上部に配置されていることになる。この状態で、上部ブシュ６２を螺子部４５に押し込んで嵌入させていく。上部ブシュ６２のボルト嵌入筒３２ａの内部側面には、弾性体からなる内部係止片３３が、設けられているので、これが螺子部４５の螺子山と係合しながら、押し込まれていく。そして、図４、５に示すように、４枚の板バネ材６４が折れ曲がった状態で、便器固定部１２の上面と上部ブシュ６２の下端面とで挟持された状態となって、複合ブシュ６１は押し込まれていく。
【００３０】
ここで、内部係止片３３は、実施形態１と同じ構造をしているので、螺子部４５の螺子山を一度係止すると、螺子部４５は嵌入側から反対側の方向にのみにしかスライドすることができなくなる。したがって、上部ブシュ６２は、人力によって、一度押しこまれると、もとに戻らなくなる。最終的には、板バネ材６４が、図５に示すように広がった状態となるまで、押しこまれる。この状態で、上部ブシュ６２及び広がった板バネ材６４が、便器固定部１２の上面を押圧することになる。当然のことながら、２個の複合ブシュ６１を２箇所のボルト孔１３、１３にそれぞれ嵌入して、２箇所で便器固定部１２を押圧していることになる。このようにして、便器本体１１は、床フランジ２１を介して、床７１上に固定される。
【００３１】
本実施の形態では、内部係止片３３を設けた上部ブシュ６２をＴ形ボルト４１の螺子部４５に押し込むことにより、便器本体１２を固定する。このため、従来のようにナットを回動させる作業が不要となり、狭い便所の内部での便器の取付け作業が容易になる。また、上部ブシュ６２と下部ブシュ６３とが屈曲自在の板バネ材６４によって接続されているので、これが緩衝材として働き、上部ブシュ６２をＴ形ボルト４１の螺子部４５に押し込むときに、便器固定部１２に急激に力が加わることがない。また、係止後は、折れ曲がった板バネ材６４が座金としての働きをするので、便器固定部１２に割れが発生するおそれが少なくなる。さらに、樹脂製の上部ブシュ６２と広がった板バネ材６４との広い面積の部分で、便器固定部１２の上面を押圧しているので、固定が確実になっている
なお、便器固定部の係止を確実にするために、上部ブシュ６２の上部にナットをさらに螺合してもよい。このナットによる係止は補強的なものであり、直接取り付ける場合と比べると、大きな力を要しないので作業としては容易である。また、必要に応じて、化粧キャップを取り付けると、外観の見栄えを良好にすることができる。
【００３２】
【発明の効果】
請求項１に係る発明の便器固定構造は、便器の下端周辺の便器固定部に設けたボルト孔に、床面から立設されたボルトを嵌入することにより、便器を床に固定する便器固定構造において、前記ボルトの螺子部を嵌入するボルト嵌入筒を有するブシュを備え、前記ボルト嵌入筒の内部側面には前記螺子部がその嵌入側から反対側の方向にのみスライドできるように前記螺子部の螺子山を係止する内部係止片を設けてなり、前記ボルトを嵌入してなる前記ブシュが前記便器固定部の上面を押圧固定してなることを特徴としているので、ナット等を回動することなく便器本体を固定することができ、狭い場所でも作業が容易となる。また、ナット等を締め付けすぎることによる便器や床フランジの割れが発生するおそれが少なくなる。
【００３３】
請求項２に係る発明の便器固定構造は、請求項１の構成において、前記ブシュは、ボルト孔に嵌合されているものであることを特徴としているので、請求項１記載の効果に加えて、ボルトの長さを必要以上に長くする必要がなくなる。
【００３４】
請求項３に係る発明の便器固定構造は、請求項２の構成において、前記ブシュは、上部に前記便器固定部の上面に係合する上部突起片を設けてなることを特徴としている特徴としているので、請求項２記載の効果に加えて、前記上部突起片によって便器固定部の上面を押圧することになり、確実に便器が固定される。
【００３５】
請求項４に係る発明の便器固定構造は、請求項３の構成において、前記ブシュは、下部に前記便器固定部の下面に係合する下部係合突起片を設けてなるものであることを特徴としている特徴としているので、請求項３記載の効果に加えて、前記ブシュを前ボルト孔に嵌入した状態で、ボルトを前記ブシュの内部係止片に係止させる作業をすることができるようになり、取付けの作業性が向上する。
【００３６】
請求項５に係る発明の便器固定構造は、請求項１乃至請求項４の構成において、前記ブシュは、側面に切欠き部を設けてなるものであることを特徴としているので、請求項１乃至請求項４記載の効果に加えて、前記ブシュを前記ボルト孔に嵌入することが容易になる。
【００３７】
請求項６に係る発明の便器固定構造は、請求項１の構成において、前記ブシュは、ボルト嵌入筒の内部に前記ボルトの螺子山を係止する内部突起片を設けてなる上部ブッシュと、下部ブシュと、前記上部ブッシュと前記下部ブッシュとを接続してなる屈曲自在の板バネ材とからなる複合ブシュであり、前記上部ブシュは前記便器固定部の上部に配設されてなり、前記下部ブシュは前記ボルト孔に嵌入してなることを特徴としているので、請求項１記載の効果に加えて、便器固定部を押圧する部分が大きくなり、固定が確実になる。また、板バネ材の緩衝効果により、便器固定部に急激に力が加わることがないので、便器が破壊するおそれが少なくなる。
【００３８】
請求項７に係る発明の便器固定構造は、請求項１乃至請求項６の構成において、略半球形状の頭部の内側に雌螺子を螺刻してなる螺子筒を有する化粧キャップを前記便器固定部上側に設け、前記螺子筒が前記ボルトに螺合してなることを特徴としているので、請求項１乃至請求項６記載の効果に加えて、前記化粧キャップによっても確実に便器を固定することができ、さらに、外観の見栄えもよくなる。
【図面の簡単な説明】
【図１】実施形態１のブシュであり、（ａ）は斜視図、（ｂ）は縦断面図、（ｃ）は内部係止片の拡大図である。
【図２】実施形態１の便器固定構造の縦断面図である。
【図３】実施形態２の複合ブシュであり、（ａ）は斜視図、（ｂ）は縦断面図である。
【図４】実施形態２の便器固定構造の縦断面図である。
【図５】実施形態２の便器固定状態の上面図である。
【図６】従来の便器固定構造を示す斜視図である。
【図７】従来の便器固定構造による床フランジを示す斜視図である。
【符号の説明】
１１        便器本体
１２        便器固定部
１３        ボルト孔
２１        床フランジ
２２        排出筒
２３        矩形孔
２４        長孔
２５        フランジ孔
２６        螺子孔
２７        係止リブ
３１        ブシュ
３２        ボルト差込筒
３３        内部係止片
３４        上部係止突起片
３５        下部係止突起片
３６        切欠き部
４１        Ｔ形ボルト
４２        頭部
４２        円柱部
４３        無螺子部
４４        螺子部
５１        化粧キャップ
５２        螺子筒
６１        複合ブシュ
６２        上部ブシュ
６３        下部ブシュ
６４        板バネ材
７１        床
７２        排水管
７３        螺子
【図１】
2004278252.tif 000003
【図２】
2004278252.tif 000004
【図３】
2004278252.tif 000005
【図４】
2004278252.tif 000006
【図５】
2004278252.tif 000007
【図６】
2004278252.tif 000008
【図７】
2004278252.tif 000009